(57)【要約】  アンテナ・システム、およびアンテナ・システムのｅｎｈａｎｃｅｄ  Ｒｅｆｅｒｅｎｃｅ  Ｓｉｇｎａｌ  Ｒｅｃｅｉｖｉｎｇ  Ｐｏｗｅｒ（ｅＲＳＲＰ）をレポートするための方法が提供される。本発明の１つの実施形態によれば、ｅＲＳＲＰをレポートするための方法は、ｅｖｏｌｖｅｄ  Ｎｏｄｅ  Ｂａｓｅ（ｅＮＢ）によって、様々な基準信号を、分散されている様々なトランスポート・ポイントに伝送するステップと、ユーザ機器（ＵＥ）によって、様々なトランスポート・ポイントのｅＲＳＲＰを測定するステップと、ＵＥによって、様々なトランスポート・ポイントの測定されたｅＲＳＲＰをｅＮＢにレポートするステップとを含む。従来技術と比較すると、ｅＮＢは、各トランスポート・ポイントのパス損失のチャネル情報を取得して、不平衡電力の問題を根本的に解決することができ、情報に基づいてその他の最適化操作を実行して、システム・スループットおよびその他のパフォーマンスを高めることができる。
2014535234.tif 000002
【特許請求の範囲】
【請求項１】
分散アンテナ・システム（ＤＡＳ）に配置されたｅｖｏｌｖｅｄ  Ｎｏｄｅ  Ｂａｓｅ（ｅＮＢ）である基地局であって、
様々な基準信号を伝送するように構成された基準信号送信コンポーネントと、
様々なトランスポート・ポイントのｅｎｈａｎｃｅｄ  Ｓｉｇｎａｌ  Ｒｅｃｅｉｖｉｎｇ  Ｐｏｗｅｒ（ｅＲＳＲＰ）を受信して、少なくとも不平衡電力の問題を解決するための対応する最適化スキームを決定するように構成されたｅＲＳＲＰ受信コンポーネントとを備える、基地局。
【請求項２】
前記ｅＮＢはシグナリング通知コンポーネントをさらに備え、前記シグナリング通知コンポーネントは、シグナリングを用いて前記ＤＡＳのユーザ機器（ＵＥ）に、前記様々なトランスポート・ポイントの前記ｅＲＳＲＰを定期的またはイベント・トリガーの方法でレポートすることを通知するように構成される、請求項１に記載の基地局。
【請求項３】
前記イベント・トリガー・レポートをトリガーするためのイベントは、
前記ＵＥによって、前記ｅＮＢの指示を受信するステップ、または
前記ＵＥによる測定を通じて、｜ｅＲＳＲＰｘ−ｅＲＳＲＰｙ｜＞Ｔを取得するステップであって、ｅＲＳＲＰｘは、前記様々なトランスポート・ポイントのうちポート番号ｘを持つトランスポート・ポイントのｅＲＳＲＰであり、ｅＲＳＲＰｙは、前記様々なトランスポート・ポイントのうちポート番号ｙを持つトランスポート・ポイントのｅＲＳＲＰであり、Ｔは、事前設定の受信電力差しきい値、または前記ＵＥについて前記ｅＮＢによって構成されたしきい値である、ステップを備える、請求項２に記載の基地局。
【請求項４】
不平衡電力の前記問題は、前記様々なトランスポート・ポイントの伝送電力を調整すること、トランスポート・ポイント選択操作、またはトランスポート・ポイント・グループ化操作によって解決され、前記調整は、増加、維持、または減少を備える、請求項１に記載の基地局。
【請求項５】
前記ｅＲＳＲＰは、ＲＳＲＰ、またはパス損失の値である、請求項１に記載の基地局。
【請求項６】
前記基準信号は、セル固有の基準信号（ＣＲＳ）またはチャネル状態情報−基準信号（ＣＳＩ−ＲＳ）である、請求項１に記載の基地局。
【請求項７】
分散システムの様々なトランスポート・ポイントのｅｎｈａｎｃｅｄ  Ｒｅｆｅｒｅｎｃｅ  Ｓｉｇｎａｌ  Ｒｅｃｅｉｖｉｎｇ  Ｐｏｗｅｒ（ｅＲＳＲＰ）を測定するように構成された測定コンポーネントと、
前記様々なトランスポート・ポイントの測定された前記ｅＲＳＲＰを前記分散システムのｅｖｏｌｖｅｄ  Ｎｏｄｅ  Ｂａｓｅ（ｅＮＢ）にレポートするように構成されたレポート・コンポーネントとを備える、ユーザ機器。
【請求項８】
前記ｅＮＢによって送信されたシグナリングを受信するように構成されたシグナリング受信コンポーネントをさらに備え、前記レポート・コンポーネントは、前記様々なトランスポート・ポイントの前記ｅＲＳＲＰを定期的に、または受信したシグナリングに応答したイベント・トリガーの方法でレポートする、請求項７に記載のユーザ機器。
【請求項９】
前記イベント・トリガー・レポートをトリガーするためのイベントは、
前記ユーザ機器によって、前記ｅＮＢの指示を受信するテップ、または
前記ユーザ機器による測定を通じて、｜ｅＲＳＲＰｘ−ｅＲＳＲＰｙ｜＞Ｔを取得するステップであって、ｅＲＳＲＰｘは、前記様々なトランスポート・ポイントのうちポート番号ｘを持つトランスポート・ポイントのｅＲＳＲＰであり、ｅＲＳＲＰｙは、前記様々なトランスポート・ポイントのうちポート番号ｙを持つトランスポート・ポイントのｅＲＳＲＰであり、Ｔは、事前設定の受信電力差しきい値、または前記ユーザ機器について前記ｅＮＢによって構成されたしきい値である、ステップを備える、請求項８に記載のユーザ機器。
【請求項１０】
前記レポート・コンポーネントが、前記ｅＮＢの指示に従って前記様々なトランスポート・ポイントの一部の前記ｅＲＳＲＰのみをレポートするか、または前記ユーザ機器が、イベント・トリガー条件を満たす前記トランスポート・ポイントの前記ｅＲＳＲＰのみをレポートする、請求項８に記載のユーザ機器。
【請求項１１】
前記ｅＲＳＲＰは、ＲＳＲＰ、またはパス損失の値である、請求項７に記載のユーザ機器。
【請求項１２】
前記基準信号は、セル固有の基準信号（ＣＲＳ）またはチャネル状態情報−基準信号（ＣＳＩ−ＲＳ）である、請求項７に記載のユーザ機器。
【請求項１３】
前記様々なトランスポート・ポイントの前記測定されたｅＲＳＲＰを前記ｅＮＢにレポートする場合、前記ユーザ機器は、前記対応する様々なトランスポート・ポイントのポート番号を伝送する、請求項７に記載のユーザ機器。
【請求項１４】
前記レポート・コンポーネントは、前記様々なトランスポート・ポイントの前記ｅＲＳＲＰを、前記ｅＮＢによって前記様々なトランスポート・ポイントの前記基準信号に割り振られたポートの順序で順次レポートする、請求項７に記載のユーザ機器。
【請求項１５】
前記様々なトランスポート・ポイントの前記ｅＲＳＲＰを測定した後、前記レポート・コンポーネントは前記測定されたｅＲＳＲＰを前記ｅＮＢに伝送するか、または前記レポート・コンポーネントは前記測定されたｅＲＳＲＰを前記様々なトランスポート・ポイントに伝送し、次いで前記様々なトランスポート・ポイントは前記ｅＲＳＲＰを前記ｅＮＢに伝送する、請求項７に記載のユーザ機器。
【発明の詳細な説明】
【技術分野】
【０００１】
本発明は、アンテナ・システム、およびアンテナ・システムの基準信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）をレポートするための方法に関し、より詳細には、分散アンテナ・システム（ＤＡＳ：ｄｉｓｔｒｉｂｕｔｅｄ  ａｎｔｅｎｎａ  ｓｙｓｔｅｍ）、およびＤＡＳのＲＳＲＰをレポートするための方法に関する。
【背景技術】
【０００２】
ダウンリンク多入力多出力（ＭＩＭＯ：Ｍｕｌｔｉｐｌｅ  Ｉｎｐｕｔ  Ｍｕｌｔｉｐｌｅ  Ｏｕｔｐｕｔ）において、ＤＡＳの典型例は、屋内および屋外での使用のために分散されたアンテナを採用している。ＤＡＳは、様々な地理的位置における分散アンテナポートからユーザ機器（ＵＥ）までのパス損失が異なっているので、不平衡電力の問題を生じることが多い、という点において、従来の集中有線システムとは異なる。不平衡電力の問題を解決するために、調整および改善の一部の技術的解決策がｅｖｏｌｖｅｄ  Ｎｏｄｅ  Ｂａｓｅ（ｅＮＢ）側において実行されてもよく、技術的解決策は電力補償、トランスポート・ポイント選択などを含む。これらの技術的解決策には、様々なトランスポート・ポイントのパス損失のチャネル情報が必要となるが、現在のＤＡＳにおいては、ｅＮＢはその情報を取得することができない。
【０００３】
図１に示される分散アンテナのアプリケーション・シナリオは、一例として取り上げられる。シナリオにおいて、ｅＮＢ５００は、セル５０に配置される。図において、マクロ基地局（ＢＳ：ｂａｓｅ  ｓｔａｔｉｏｎ）ノードの一部のみが示される。ｅＮＢ５００は、ＵＥ５０５にサービスを提供するため、４つの分散アンテナ５０１、５０２、５０３、および５０４を割り振る。分散アンテナ５０１は、マクロＢＳノード５００に配置される。分散アンテナ５０１、５０２、５０３、および５０４のポートは、それぞれＲＲＨ０、ＲＲＨ１、ＲＲＨ２、およびＲＲＨ３に設定される。基準信号、たとえば分散アンテナ５０１、５０２、５０３、および５０４のチャネル状態情報−基準信号（ＣＳＩ−ＲＳ：ｃｈａｎｎｅｌ  ｓｔａｔｅ  ｉｎｆｏｒｍａｔｉｏｎ−ｒｅｆｅｒｅｎｃｅ  ｓｉｇｎａｌ）ＣＳＩ−ＲＳ０、ＣＳＩ−ＲＳ１、ＣＳＩ−ＲＳ２、およびＣＳＩ−ＲＳ３は、ＵＥ５０５に透過的であるが、ＵＥ５０５は、１つのＲＳＲＰ値しかｅＮＢ５００にレポートすることができない。一般に、ＲＳＲＰ値は、分散アンテナのポートＲＲＨ０およびＲＲＨ１の測定されたＲＳＲＰ０およびＲＳＲＰ１をＵＥ５０５が平均することによって取得される。分散アンテナ５０１、５０２、５０３、および５０４のパス損失のチャネル情報が欠如しているため、ｅＮＢ５００は、不平衡の問題を解決することができない。
【０００４】
実際、ｅＮＢが各分散アンテナのパス損失のチャネル情報を認識できないので、トランスポート・ポイント選択に不都合である、柔軟にリソースを割り振ってシステム・スループットを低減することができないといった、その他の問題が生じることがある。
【０００５】
したがって、不平衡電力の問題を根本的に解決するために、既存のＤＡＳおよびＲＳＲＰをレポートする方法を改善することが求められている。
【発明の概要】
【発明が解決しようとする課題】
【０００６】
本発明の目的は、アンテナ・システムおよびアンテナ・システムの受信電力をレポートするための方法を提供して、不平衡電力の問題を解決するための技術的解決策を実現可能にすることである。
【課題を解決するための手段】
【０００７】
本発明の１つの実施形態によれば、受信電力をレポートするための方法は、ｅＮＢによって、様々な基準信号を、分散されている様々なトランスポート・ポイントに伝送するステップと、ＵＥによって、様々なトランスポート・ポイントのｅＲＳＲＰを測定するステップと、ＵＥによって、様々なトランスポート・ポイントの測定されたｅＲＳＲＰをｅＮＢにレポートするステップとを含む。
【０００８】
本発明のもう１つの実施形態によれば、受信電力をレポートするための方法は、シグナリングを用いてｅＮＢによって、様々なトランスポート・ポイントのｅＲＳＲＰを定期的またはイベント・トリガーの方法でレポートすることをＵＥに通知するステップをさらに含む。イベント・トリガー・レポートをトリガーするためのイベントは、ＵＥによって、ｅＮＢの指示を受信するステップ、またはＵＥによる測定を通じて、｜ｅＲＳＲＰｘ−ｅＲＳＲＰｙ｜＞Ｔを取得するステップを含み、ただしｅＲＳＲＰｘは、様々なトランスポート・ポイントのうちポート番号ｘを持つトランスポート・ポイントのｅＲＳＲＰであり、ｅＲＳＲＰｙは、様々なトランスポート・ポイントのうちポート番号ｙを持つトランスポート・ポイントのｅＲＳＲＰであり、Ｔは、事前設定の受信電力差しきい値、またはＵＥについてｅＮＢによって構成されたしきい値である。ＵＥは、ｅＮＢの指示に従ってトランスポート・ポイントの一部のｅＲＳＲＰのみをレポートするか、またはＵＥは、イベント・トリガー条件を満たすトランスポート・ポイントのｅＲＳＲＰのみをレポートする。
【０００９】
本発明のさらにもう１つの実施形態によれば、受信電力をレポートするための方法は、ｅＮＢによって、ＵＥから様々なトランスポート・ポイントのｅＲＳＲＰを受信して、少なくとも不平衡電力の問題を解決するための対応する最適化スキームを決定するステップをさらに含む。不平衡電力の問題は、様々なトランスポート・ポイントの伝送電力を調整すること、トランスポート・ポイント選択操作、またはトランスポート・ポイント・グループ化操作によって解決され、調整は、増加、維持、または減少を含む。本発明のもう１つの実施形態によれば、ｅＲＳＲＰは、ＲＳＲＰ、またはパス損失の値であり、基準信号はセル固有の基準信号（ＣＲＳ：ｃｅｌｌ  ｓｐｅｃｉｆｉｃ  ｒｅｆｅｒｅｎｃｅ  ｓｉｇｎａｌ）またはＣＳＩ−ＲＳである。さらに、本発明の実施形態において、様々なトランスポート・ポイントの測定されたｅＲＳＲＰをｅＮＢにレポートする場合、ＵＥは、対応する様々なトランスポート・ポイントのポート番号を伝送する。本発明のもう１つの実施形態において、ＵＥは、様々なトランスポート・ポイントのｅＲＳＲＰを、ｅＮＢによって様々なトランスポート・ポイントの基準信号に割り振られたポートの順序で順次レポートする。本発明の１つの実施形態において、様々なトランスポート・ポイントのｅＲＳＲＰを測定した後、ＵＥは測定されたｅＲＳＲＰをｅＮＢに伝送するか、またはＵＥは測定されたｅＲＳＲＰを様々なトランスポート・ポイントに伝送し、次いで様々なトランスポート・ポイントはｅＲＳＲＰをｅＮＢに伝送する。
【００１０】
本発明の１つの実施形態は、分散されている様々なトランスポート・ポイントと、様々な基準信号を様々なトランスポート・ポイントに伝送するように構成されたｅＮＢと、様々なトランスポート・ポイントのｅＲＳＲＰを測定し、様々なトランスポート・ポイントの測定されたｅＲＳＲＰをｅＮＢにレポートするように構成されたＵＥとを含むアンテナ・システムをさらに提供する。
【００１１】
本発明のもう１つの実施形態は、ＤＡＳに位置し、様々な基準信号を伝送するように構成された基準信号送信コンポーネントと、様々なトランスポート・ポイントのｅＲＳＲＰを受信して、少なくとも不平衡電力の問題を解決するための対応する最適化スキームを決定するように構成されたｅＲＳＲＰ受信コンポーネントとを含むｅＮＢをさらに提供する。本発明の１つの実施形態において、ｅＮＢは、シグナリングを用いて、様々なトランスポート・ポイントのｅＲＳＲＰを定期的またはイベント・トリガーの方法でレポートすることをＵＥに通知するように構成されたシグナリング通知コンポーネントをさらに含む。
【００１２】
本発明のもう１つの実施形態は、分散システムの様々なトランスポート・ポイントのｅＲＳＲＰを測定するように構成された測定コンポーネントと、様々なトランスポート・ポイントの測定されたｅＲＳＲＰを分散システムのｅＮＢにレポートするように構成されたレポート・コンポーネントとを含むＵＥをさらに提供する。本発明の１つの実施形態において、ＵＥは、ｅＮＢによって送信されたシグナリングを受信するように構成されたシグナリング受信コンポーネントをさらに含み、レポート・コンポーネントは、様々なトランスポート・ポイントのｅＲＳＲＰを定期的に、または受信したシグナリングに応答したイベント・トリガーの方法でレポートする。
【００１３】
従来技術と比較すると、本発明により提供されるアンテナ・システムおよびアンテナ・システムのＲＳＲＰをレポートするための方法は、ｅＮＢがＵＥのために使用されるすべてのトランスポート・ポイントの基準信号電力を取得できるようにする、つまり、不平衡電力の問題が対応する手段によって解決されうるように、分散された各アンテナのパス損失のチャネル情報を認識できるようにする。さらに、ｅＮＢはさらに、より柔軟なトランスポート・ポイント選択およびリソース割り振りを実施し、必要な電力制御を実施して、システム・スループットを高めることができる。
【図面の簡単な説明】
【００１４】
【図１】既存のＤＡＳのシナリオを示す概略図である。
【図２】本発明の実施形態によるシナリオを示す概略図である。
【図３】本発明の１つの実施形態によるｅＲＳＲＰのレポートを示す流れ図である。
【図４】本発明の１つの実施形態による順次トランスポート・ポイントのｅＲＳＲＰをｅＮＢにレポートするＵＥを示す概略流れ図である。
【図５】本発明の実施形態によるＤＡＳを示す構造ブロック図である。
【発明を実施するための形態】
【００１５】
本発明の精神をより深く理解するため、本発明は、選択された好ましい実施形態の組み合わせを使用して、後段においてさらに説明される。
【００１６】
Ｌｏｎｇ  Ｔｅｒｍ  Ｅｖｏｌｕｔｉｏｎ（ＬＴＥ）プロジェクトは、近年、第３世代移動体通信システム標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）によって開始された最大の最新技術研究および開発プロジェクトである。直交周波数分割多重／周波数分割多元接続（ＯＦＤＭ／ＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ／Ｆｒｅｑｕｅｎｃｙ  Ｄｉｖｉｓｉｏｎ  Ｍｕｌｔｉｐｌｅ  Ａｃｃｅｓｓ）に基づくこの技術は、準４Ｇ技術と見なされている。ＬＴＥは、世界中で主要な広域ブロードバンド移動体通信システムとなり、将来、すべての２Ｇ／３Ｇ／３．５Ｇ技術はＬＴＥ／ＬＴＥ−Ａｄｖａｎｃｅｄ（ＬＴＥ−Ａ）フェーズへと進化するであろう。現在、業界には複数のＬＴＥ規格のバージョンが存在するが、それらのいずれもＤＡＳにおける不平衡電力の問題を解決していないため、技術のさらなる向上および実施を妨げている。
【００１７】
技術の開発および規格の更新により、同一の機能を有するコンポーネントが通常は異なる名称を有することに留意されたい。たとえば、ＤＡＳにおいて、トランスポート・ポイント、分散アンテナ、およびリモート無線ヘッド（ＲＲＨ：ｒｅｍｏｔｅ  ｒａｄｉｏ  ｈｅａｄ）は、当業者によって代替的に使用されることが多い。本発明の特許出願において使用される技術用語は、本発明の技術的解決策を説明し例示するために提供される。たとえば、一般に、トランスポート・ポイント、分散アンテナ、およびＲＲＨは概してトランスポート・ポイントと称される。用語を解釈する場合、用語に関連する当技術分野において一般に知られている機能が優先し、名称の差異を考慮して恣意的に解釈されてはならない。
【００１８】
図２は、本発明の実施形態によるシナリオを示す概略図である。シナリオにおいて、提供されるのは、セル１０、セル１０に位置するｅＮＢ１００、地理的に離れた４つのトランスポート・ポイント１０１、１０２、１０２、および１０４、ならびにＵＥ１０５である。ＬＴＥおよびＬＴＥ−Ａ規格において、ｅＮＢは、ＢＳを表し、ＵＥに対応する。便宜上、図２は、ｅＮＢ１００のマクロＢＳノードの一部のみを示す。４つの分散されたトランスポート・ポイント１０１、１０２、１０３、および１０４はすべて、ＵＥ１０５に信号伝送サービスを提供し、ＲＲＨであってもよい。一般に、ｅＮＢ１００は、対応するポート番号を割り振る。たとえば、トランスポート・ポイント１０１はポート番号０を有し、トランスポート・ポイント１０２はポート番号１を有し、トランスポート・ポイント１０３はポート番号２を有し、トランスポート・ポイント１０４はポート番号３を有する、つまり、それぞれＲＲＨ０、ＲＲＨ１、ＲＲＨ２、ＲＲＨ３である。
【００１９】
図２において、ＵＥ１０５は、図３に示される本発明のレポートの方法の実施形態によるプロセスを通じて、トランスポート・ポイント１０１、１０２、１０３、および１０４のｅＲＳＲＰを、ｅＮＢ１００にレポートする。ｅＲＳＲＰは、受信電力がＵＥによって測定される、特定のトランスポート・ポイントによって伝送された基準信号の受信電力を示す。本発明において、ｅＲＳＲＰは、たとえばＲＳＲＰおよびパス損失の値のような、パス損失のチャネル情報を反映することができるパラメータを含む。
【００２０】
ステップ２００において、ｅＮＢ１００は、様々な基準信号を、分散されている様々なトランスポート・ポイント１０１、１０２、１０３、および１０４に伝送する。基準信号は、ＣＲＳ、またはＣＳＩ−ＲＳであってもよい。図２において、ｅＮＢ１００は、様々なＣＳＩ−ＲＳをトランスポート・ポイント１０１、１０２、１０３、および１０４に伝送する。
【００２１】
ステップ２０１において、ｅＮＢ１００は、シグナリングを用いて、様々なトランスポート・ポイント１０１、１０２、１０３、および１０４のｅＲＳＲＰを定期的またはイベント・トリガーの方法でレポートすることをＵＥ１０５に通知する。トリガー・イベントは、ＵＥ１０５がｅＮＢ１００の指示を受信するか、またはＵＥ１０５が、測定を通じて｜ｅＲＳＲＰｘ−ｅＲＳＲＰｙ｜＞Ｔを取得することを含む、ただしｅＲＳＲＰｘは、様々なトランスポート・ポイント１０１、１０２、１０３、および１０４のうちポート番号ｘを持つトランスポート・ポイントのｅＲＳＲＰであり、ｅＲＳＲＰｙは、様々なトランスポート・ポイント１０１、１０２、１０３、および１０４のうちポート番号ｙを持つトランスポート・ポイントのｅＲＳＲＰであり、Ｔは、事前設定の受信電力差しきい値、またはＵＥについてｅＮＢによって構成されたしきい値である。たとえば、ＵＥ１０５が、測定を実行して、トランスポート番号０を持つトランスポート・ポイント１０１とトランスポート番号１を持つトランスポート・ポイント１０２とのｅＲＳＲＰ差異が事前設定のしきい値よりも大きいことを取得する場合、ｅＲＳＲＰはｅＮＢ１００に自動的にレポートされる。
【００２２】
ステップ２０２において、ＵＥ１０５は、トランスポート・ポイント１０１、１０２、１０３、および１０４の基準信号のｅＲＳＲＰを測定する。
【００２３】
ステップ２０３において、ＵＥ１０５は、トランスポート・ポイント１０１、１０２、１０３、および１０４の測定されたｅＲＳＲＰをｅＮＢ１００にレポートする。複数の種類の固有のレポート方法が存在する。たとえば、トランスポート・ポイント１０１、１０２、１０３、および１０４のｅＲＳＲＰをｅＮＢ１００にレポートする場合、ＵＥ１０５は、対応するトランスポート・ポイントのポート番号を伝送するか、またはＵＥ１０５は、たとえば、トランスポート・ポイント１０１、１０２、１０３、および１０４の基準信号に割り振られているポートの順序など、ｅＮＢによってあらかじめ決定されている順序で様々なトランスポート・ポイント１０１、１０２、１０３、および１０４のｅＲＳＲＰをレポートする。詳細については、図４および関連する説明が参照されてもよい。さらに、レポートする場合、ＵＥ１０５は、測定されたｅＲＳＲＰをｅＮＢ１００に伝送するように選択するか、または、測定されたｅＲＳＲＰを様々なトランスポート・ポイント１０１、１０２、１０３、および１０４に伝送してから、様々なトランスポート・ポイントがｅＲＳＲＰをｅＮＢに伝送するように選択することができる。一部の実施形態において、ＵＥ１０５は、ｅＮＢ１００の指示に従ってトランスポート・ポイントの一部のｅＲＳＲＰのみをレポートすることができるか、またはＵＥ１０５は、イベント・トリガー条件を満たすトランスポート・ポイントのｅＲＳＲＰのみをレポートする。
【００２４】
ステップ２０４において、ｅＮＢ１００は、トランスポート・ポイント１０１、１０２、１０３、および１０４のｅＲＳＲＰをＵＥ１０５から受信して、トランスポート・ポイント１０１、１０２、１０３、および１０４のパス損失のチャネル情報を認識し、チャネル情報に基づいて、不平衡電力の問題を解決するための対応する最適化スキームを決定するか、またはリソース割り振り、電力制御、トランスポート・ポイント選択などを含むその他の操作を実行する。
【００２５】
図４は、本発明のもう１つの実施形態を示す。この実施形態において、ＵＥ１０５がトランスポート・ポイント１０１、１０２、１０３、および１０４のｅＲＳＲＰをｅＮＢ１００に順次レポートする例示的なプロセスが、さらに説明される。
【００２６】
ステップ３００において、ｅＮＢ１００は、様々なトランスポート番号を様々な基準信号に割り振り、たとえばＣＳＩ−ＲＳ０、ＣＳＩ−ＲＳ１、ＣＳＩ−ＲＳ２、およびＣＳＩ−ＲＳ３など、様々なポートにおける基準信号を生成する。
【００２７】
ステップ３０１において、様々な基準信号ポートでの基準信号ＣＳＩ−ＲＳ０、ＣＳＩ−ＲＳ１、ＣＳＩ−ＲＳ２、およびＣＳＩ−ＲＳ３は、対応するトランスポート・ポイント１０１、１０２、１０３、および１０４、つまり、それぞれＲＲＨ０、ＲＲＨ１、ＲＲＨ２、およびＲＲＨ３に伝送される。基準信号はさらに、ＵＥ１０５に伝送される。
【００２８】
ステップ３０２において、ＵＥ１０５は、トランスポート・ポイント１０１、１０２、１０３、および１０４の基準信号ＣＳＩ−ＲＳ０、ＣＳＩ−ＲＳ１、ＣＳＩ−ＲＳ２、およびＣＳＩ−ＲＳ３のＲＳＲＰを測定して、対応するＲＳＲＰ０、ＲＳＲＰ１、ＲＳＲＰ２、およびＲＳＲＰ３を取得する。
【００２９】
ステップ３０３において、ＲＳＲＰ０、ＲＳＲＰ１、ＲＳＲＰ２、およびＲＳＲＰ３は、順次ｅＮＢ１００にレポートされる。
【００３０】
図５は、本発明の実施形態によるＤＡＳを示す構造ブロック図である。ＤＡＳにおいて、ｅＮＢ４０は、対応する基準信号ＣＳＩ−ＲＳ０からＣＳＩ−ＲＳｎを様々なトランスポート・ポイントＲＲＨ０からＲＲＨｎに伝送するように構成された基準信号送信コンポーネント４００と、シグナリングを用いて、様々なトランスポート・ポイントＲＲＨ０からＲＲＨｎのｅＲＳＲＰを定期的またはイベント・トリガーの方法でレポートすることをＵＥ４１に通知するように構成されたシグナリング通知コンポーネント４０１と、様々なトランスポート・ポイントＲＲＨ０からＲＲＨｎのｅＲＳＲＰ０からｅＲＳＲＰｎを受信して、少なくとも不平衡電力の問題を解決するための対応する最適化スキームを決定するように構成されたｅＲＳＲＰ受信コンポーネント４０２とを含む。不平衡電力の問題は、様々なトランスポート・ポイントＲＲＨ０からＲＲＨｎの伝送電力を調整すること、トランスポート・ポイント選択操作、またはトランスポート・ポイント・グループ化操作によって解決され、調整は、増加、維持、または減少を含む。対応するＵＥ４１は、様々なトランスポート・ポイントＲＲＨ０からＲＲＨｎのｅＲＳＲＰ０からｅＲＳＲＰｎを測定するように構成された測定コンポーネント４１０と、ｅＮＢ４０によって送信された受信したシグナリングに従って、ＵＥ４１が、様々なトランスポート・ポイントＲＲＨ０からＲＲＨｎのｅＲＳＲＰからｅＲＳＲＰｎを定期的またはイベント・トリガーの方法で、レポートすることができるように構成されたシグナリング受信コンポーネント４１１と、様々なトランスポート・ポイントＲＲＨ０からＲＲＨｎの測定されたｅＲＳＲＰ０からｅＲＳＲＰｎをｅＮＢ４０にレポートするように構成されたレポート・コンポーネント４１２とを含む。
【００３１】
本発明により提供されるアンテナ・システムおよびアンテナ・システムのＲＳＲＰをレポートするための方法を通じて、ｅＮＢは、ＵＥにサービスを提供する分散されたトランスポート・ポイントのｅＲＳＲＰを取得して、トランスポート・ポイントのパス損失のチャネル情報を認識する。情報に基づいて、ｅＮＢは、たとえば、不平衡電力の既存の問題を解決すること、柔軟なトランスポート・ポイント選択を実行すること、効果的な電力制御を実施すること、または柔軟にリソースを割り振ることなど、複数の種類の対応する操作を実行することができる。
【００３２】
本発明の技術的内容および技術的特徴は、上記で開示されている。しかし、当業者であればさらに、本発明の教示および開示に基づいて、本発明の精神を逸脱することなく置き換えおよび変更を行うことができる。したがって、本発明の保護範囲は、実施形態において開示される内容に限定されるものではなく、本発明の精神を逸脱することなく様々な置き換えおよび変更を含み、本特許の請求の範囲によって網羅されるものとする。
【図１】
2014535234.tif 000003
【図２】
2014535234.tif 000004
【図３】
2014535234.tif 000005
【図４】
2014535234.tif 000006
【図５】
2014535234.tif 000007
【国際調査報告】
2014535234.tif 000008
2014535234.tif 000009